(57)【要約】【課題】  操作者が移動することなく火力調整が可能なガスコンロを提供する。【解決手段】    コンロ１底面に対する鉛直方向を回転軸として回転自在である第１構造体２と、固定された第２構造体３とで構成されており、第１構造体２には炎を出火するためのガスバーナ４、ガスバーナ４から出火する火力の調整を操作者によって行うための操作部５、バッテリー、及び高電圧発生装置が備えられ、第２構造体３にはガス取入口６が備えられる。操作者が操作部５の対面に予め位置しない場合でも、第１構造体２を回転させて操作部５を自らの対面に移動させることによって、自らが移動することなく火力調整が容易に行える。【選択図】        図１
2007271230.tif 000002
【特許請求の範囲】
【請求項１】
バーナと、
燃料ガスをガス供給源から取り入れるガス取入口と、
前記ガス取入口と前記バーナとを接続し、前記ガス取入口から取り入れられる前記燃料ガスを前記バーナへ導くガス流路と、
前記ガス流路の途中に設けられて前記バーナへ供給される前記燃料ガスのガス流量を調整して前記バーナからの火力調整を行う火力調整部と、
前記バーナ、前記ガス取入口、前記ガス流路、及び前記火力調整部を収容する筐体と、
前記筐体の外部に設けられ、前記火力調整部に対して火力調整の指示を与える操作部と、を備えてなり、
前記ガス取入口に対して少なくとも前記操作部が相対的に移動可能に構成されることを特徴とするガスコンロ。
【請求項２】
前記操作部が、コンロ底面に対する鉛直方向を回転軸として回転自在に構成されることを特徴とする請求項１に記載のガスコンロ。
【請求項３】
少なくとも前記バーナ、前記火力調整部、及び前記操作部が固定された第１構造体と、少なくとも前記ガス取入口が固定された第２構造体とで構成され、
前記第１構造体が前記第２構造体に対して、前記回転軸周りに回転自在に構成されることを特徴とする請求項２に記載のガスコンロ。
【請求項４】
前記ガス流路の前記ガス取入口と前記火力調整部との間が、外管の内部に内管が同軸状に挿入されるとともに一方が他方に対して相対移動可能に構成された、前記内管及び前記外管の軸心が環状の二重管構造を有し、
前記内管は、内部が連結された第１分岐管、及び当該内管の壁部を貫通して開口した第１スリットを有し、
前記外管は、内部が連結された第２分岐管、及び前記内管が備える前記第１分岐管を当該外管の壁部を貫通して外側に挿通させる第２スリットを有し、
前記内管が備える前記第１スリットが所定の相対移動可能範囲内において前記外管が備える前記第２分岐管と重なり合うことで、
前記ガス取入口より前記第１分岐管を介して前記内管に流入される前記燃料ガスが前記第２分岐管を介して前記火力調整部に通流可能、又は、前記ガス取入口より前記第２分岐管を介して前記内管に流入される前記燃料ガスが前記第１分岐管を介して前記火力調整部に通流可能に構成されることを特徴とする請求項３に記載のガスコンロ。
【発明の詳細な説明】
【技術分野】
【０００１】
本発明は、卓上等で利用されるガスコンロに関する。
【背景技術】
【０００２】
キッチン等で利用されるガスコンロの他に、家族で鍋料理等を楽しむためにテーブルの上に設置可能な小型のガスコンロが従来より商品化されている（例えば非特許文献１参照）。
【０００３】
【非特許文献１】「ガス調理機器総合カタログ」、大阪瓦斯株式会社、２００２年、ｐ．２６
【発明の開示】
【発明が解決しようとする課題】
【０００４】
非特許文献１に記載の従来構成の小型ガスコンロの構成を図５に示す。図５に示される小型ガスコンロ３０は、炎の点火及び出力の調整を行う操作ツマミ（以下、「操作部」と称する）５と、燃料となる都市ガスを供給するためのガス管を挿入するガス取入口６を備える。このような構成の一口コンロは、例えば卓上に設置されて家族で鍋料理を楽しむ場合等、複数の人数が同時にコンロ上に載置される被加熱容器の近傍に位置する状況において活用される。
【０００５】
しかしながら、図５に示されるような構造においては、操作部５の対面に位置した人間が鍋の火加減の調整を行うことを余儀なくされ、その人間が席を外した場合には、別の人間がその場所に移って火加減の調整を行わなければならず、極めて不便であった。
【０００６】
又、ガスコンロ３０は、燃料となる都市ガスを供給するためのガス取入口６の位置が固定されており、ガス取入口６をガスコンセント或いはガスの元栓の方向に向ける必要がある。ところで、家族が食卓に向かう場合、位置する席というのは概ね決まっていることが多く、この結果、場合によっては乳幼児や小学生等の小さい子供の前面に操作部５が位置する場合も考えられ、小さい子供が不用意に操作部５を触れることができる環境となり非常に危険である。
【０００７】
本発明は上記の問題点に鑑み、卓上等に設置した後において、誰でも自らが移動することなく火力の調整を行うことができるガスコンロを提供することを目的とする。
【課題を解決するための手段】
【０００８】
上記目的を達成するための本発明に係るガスコンロは、バーナと、燃料ガスをガス供給源から取り入れるガス取入口と、前記ガス取入口と前記バーナとを接続し、前記ガス取入口から取り入れられる前記燃料ガスを前記バーナへ導くガス流路と、前記ガス流路の途中に設けられて前記バーナへ供給される前記燃料ガスのガス流量を調整して前記バーナからの火力調整を行う火力調整部と、前記バーナ、前記ガス取入口、前記ガス流路、及び前記火力調整部を収容する筐体と、前記筐体の外部に設けられ、前記火力調整部に対して火力調整の指示を与える操作部と、を備えてなり、前記ガス取入口に対して少なくとも前記操作部が相対的に移動可能に構成されることを第１の特徴とする。
【０００９】
上記第１の特徴構成によれば、ガス取入口が固定されている場合でも、操作部を移動させて自らの対面位置に当該操作部を移動させることができるため、操作部対面に位置しない人間でも自らが移動することなく操作部を操作して火力調整を行うことができる。
【００１０】
又、本発明に係るガスコンロは、上記第１の特徴に加えて、前記操作部が、コンロ底面に対する鉛直方向を回転軸として回転自在に構成されることを第２の特徴とする。
【００１１】
上記第２の特徴構成によれば、操作部を回転させることで操作者の対面に当該操作部を移動させることができる。
【００１２】
又、本発明に係るガスコンロは、上記第２の特徴に加えて、少なくとも前記バーナ、前記火力調整部、及び前記操作部が固定された第１構造体と、少なくとも前記ガス取入口が固定された第２構造体とで構成され、前記第１構造体が前記第２構造体に対して、前記回転軸周りに回転自在に構成されることを第３の特徴とする。
【００１３】
上記第３の特徴構成によれば、第２構造体に対して第１構造体を回転させることで、操作部が連れて回転し、これによって操作部を操作者の対面に移動させることができる。
【００１４】
又、本発明に係るガスコンロは、上記第３の特徴に加えて、前記ガス流路の前記ガス取入口と前記火力調整部との間が、外管の内部に内管が同軸状に挿入されるとともに一方が他方に対して相対移動可能に構成された、前記内管及び前記外管の軸心が環状の二重管構造を有し、前記内管は、内部が連結された第１分岐管、及び当該内管の壁部を貫通して開口した第１スリットを有し、前記外管は、内部が連結された第２分岐管、及び前記内管が備える前記第１分岐管を当該外管の壁部を貫通して外側に挿通させる第２スリットを有し、前記内管が備える前記第１スリットが所定の相対移動可能範囲内において前記外管が備える前記第２分岐管と重なり合うことで、前記ガス取入口より前記第１分岐管を介して前記内管に流入される前記燃料ガスが前記第２分岐管を介して前記火力調整部に通流可能、又は、前記ガス取入口より前記第２分岐管を介して前記内管に流入される前記燃料ガスが前記第１分岐管を介して前記火力調整部に通流可能に構成されることを第４の特徴とする。
【００１５】
上記第４の特徴構成によれば、ガス取入口と第１分岐管、及び第２分岐管と火力調整部とが夫々連絡される場合、ガス取入口から流入した燃料ガスが内管へと導かれるとともに、第１スリットと第２分岐管が重なり合う箇所において、第１スリット及び第２分岐管を介して外管外部へ流出し、ガスバーナへと導かれる。このとき、内管は、固定された第１構造体に備えられたガス取入口と第１分岐管によって接続されているため、第１構造体と同様に固定状態を維持する一方、外管は、第２構造体に備えられたガスバーナと第２分岐管によって接続されており、第２構造体と同様、ガスコンロ底面に対する鉛直方向を回転軸として回転自在である。そして、外管には第２スリットが備えられているため、固定された内管から移動可能な外管の外部に飛び出す形で存在する第１分岐管は、外管の回転に伴って一緒に回転する第２スリット上に位置することとなり、第１分岐管によって外管の回転が妨げられることはない。これによって、第１構造体を固定させたまま第２構造体を回転させることができるため、操作部を操作者の対面に移動させることができる。
【００１６】
又、逆に、ガス取入口と第２分岐管、及び第１分岐管と火力調整部とが夫々連絡される場合、第１スリットと第２分岐管が重なり合う箇所において、ガス取入口から流入された燃料ガスが内管へと導かれる。そして、この燃料ガスは、第１分岐管を介して外管外部へと流出し、ガスバーナへと導かれる。このとき、外管は、固定された第１構造体に備えられたガス取入口と第２分岐管によって接続されているため、第１構造体と同様に固定状態を維持する一方、内管は、第２構造体に備えられたガスバーナと第１分岐管によって接続されており、第２構造体と同様、ガスコンロ底面に対する鉛直方向を回転軸として回転自在である。そして、外管には第２スリットが備えられているため、回転自在な内管から固定された外管の外部に飛び出す形で存在する第１分岐管は、内管の回転に伴って第２スリット上を一緒に回転可能であり、第１分岐管によって内管の回転が妨げられることはない。これによって第１構造体を固定させたまま第２構造体を回転させることができるため、操作部を操作者の対面に移動させることができる。
【発明の効果】
【００１７】
本発明に係るガスコンロによれば、ガス取入口が固定されている場合でも、操作部を移動させて自らの対面位置に当該操作部を移動させることができるため、操作部対面に位置しない人間でも自らが移動することなく操作部を操作して火力調整を行うことができる。
【発明を実施するための最良の形態】
【００１８】
以下において、本発明に係るガスコンロ（以下、適宜「本発明コンロ」と略称する）の実施形態について図１〜図４を参照して説明する。
【００１９】
図１は、本発明に係るガスコンロの概略斜視図である。図１に示されるガスコンロ１は、第１構造体２、及び第２構造体３の上下２層で構成されている。これら２層の各構造体の内、上部構造である第１構造体２はガスコンロ１の底面に対する鉛直方向を回転軸として回転自在であり、一方、下部構造である第２構造体３は固定されている。
【００２０】
又、第１構造体２には、炎を出火するためのガスバーナ４、ガスバーナ４から出火する火力の調整を操作者によって行うための操作部（操作ツマミ）５、バッテリー、及び高電圧発生装置（いずれも図１には不図示）が備えられており、第１構造体２が回転するとこれらの構成要素も連れて回転する構成である。一方、第２構造体３にはガス取入口６が備えられており、当該取入口６と都市ガス供給源（不図示）とがガスホースで接続されることで、ガスバーナ４に燃料となる都市ガスが導かれる。尚、ガス取入口６とガスバーナ４とはガス流路にて接続されており、ガス取入口６から流入した都市ガスをガスバーナ４へと導く。
【００２１】
操作者が操作部５を操作することで、バッテリーから高電圧発生装置に通電されるとともに、高電圧発生装置から発生するスパークが都市ガスに引火することで、ガスバーナ４から炎が発生する。そして、操作者によって更にこの操作部５が操作されることで、ガスバーナ４に流入されるガス流量が調整されて、ガスバーナ４から出力される火力の調整が行われる。
【００２２】
図２は、ガスコンロ１の内部を上面から見た概略上面図である。上述したように、第１構造体２には、ガスバーナ４、操作部５、バッテリー７、及び高電圧発生装置８が備えられている。又、ガス取入口６から都市ガスをガスバーナ４へ導くためのガス流路がガスバーナ４を取り囲むように円環状に形成されており、このガス流路は外管１０と外管１０の内部に同軸上に挿入された内管１１との二重管構造によって構成されている。
【００２３】
内管１１は、内部が接続される形で分岐した第１分岐管１２を備えるとともに、後述するように、壁面が貫通されて開口したスリット（以下では「第１スリット」と称する）を有する。又、外管１０は、内部が接続される形で分岐した第２分岐管１３を備えるとともに、後述するように、壁面が貫通されて開口したスリット（以下では「第２スリット」と称する）を有する。尚、第１スリットはガスコンロ１底面に対して鉛直上向きに開口されており、第２スリットはガスバーナ４に対して外側方向に開口されている。
【００２４】
第１分岐管１２は、ガス取入口６と内管１１とを連絡しており、ガス取入口６より流入される都市ガスを内管１１へと導く。内管１１に流入されたガスは、第１スリットを介して外管１０へと流出し、外管１０に備えられた第２分岐管１３を介してガスバーナ４へと導かれる。第２分岐管１３とガスバーナ４の間には、操作部５の操作によって開度を調整可能な弁構造を有する火力調整部１４が備えられており、操作部５が操作されることで火力調整部１４の開度が調整され、これによってガスバーナ４へと流出されるガス流量が調整されて、火力が調整される。
【００２５】
図３はガスコンロ１の内部を側面から見た概略側面図である。図３（ａ）は、ガスコンロ１全体の概略側面図を示しており、図３（ｂ）及び（ｃ）は、図３（ａ）の一部構成を拡大したものを示している。
【００２６】
ガス取入口６から流入されたガスは、第１分岐管１２を介して内管１１に導かれる。内管１１は上部に第１スリット２１を設けており、この第１スリット２１が内管１１と同様に環状を形成する。内管１１の外壁と外管１０の内壁は接触されており、内管１１に流入されるガスが後述する第２分岐管１３以外の箇所で外管１０の外部へ流出されないように構成されている。
【００２７】
尚、上述したように、外管１０には第２スリット２２が備えられており、この第２スリットが外管１０と同様に環状を形成する。第１分岐管１２は、この第２スリット２２を介して外管１０を挿通することで、外管１０外部にあるガス取入口６と内管１１とを接続する構成である。
【００２８】
内管１１へと流入されたガスは第１スリット２１と第２分岐管１３とが重なり合う箇所で外部への流路が形成され、当該流路より第２分岐管１３、火力調整部１４を介してガスバーナ４へと導かれる。
【００２９】
内管１１は、固定された第１構造体３に備えられたガス取入口６と第１分岐管１２によって接続されているため、第１構造体３と同様に固定状態を維持する。一方、外管１０は、第２構造体２に備えられたガスバーナ４と第２分岐管１３によって接続されており、第２構造体２と同様、ガスコンロ１の底面に対する鉛直方向を回転軸として回転自在である。このとき、上述したように外管１０には第２スリット２２が環状に備えられているため、固定された内管１１から移動可能な外管１０の外部に飛び出す形で存在する第１分岐管１２は、外管１０の回転に伴って一緒に回転する第２スリット２２上に位置することとなり、このため、第１分岐管１２によって外管１０の回転が妨げられることはない。
【００３０】
尚、上述では、内管１１に備えられる第１スリット２１が上向きに開口されており、外管１０に備えられる第２スリット２２がガスバーナ４に対して外側方向に開口されるものとしたが、第１スリット２１と第２スリット２２の開口方向が異なる方向であれば、この開口方向には限られない。例えば、第１スリット２１がガスバーナ４に対して外側方向に外向きに開口しており、第２スリット２２が下向きに開口していても構わない。この場合、第２分岐管１３は外管１０からガスバーナ４に対して外側方向にガスを流出した後、当該ガスをガスバーナ４へと導くように配管される。
【００３１】
このように構成されることで、ガスバーナ４、操作部５、バッテリー７、高電圧発生装置８、火力調整部１４、及び外管１０（第２分岐管１３を含む）を備えて構成される第２構造体２が回転可能となる一方、ガス取入口６、及び内管１１（第１分岐管１２を含む）を備えて構成される第１構造体１は固定状態を維持することができる。これによって、第２構造体２を回転させることで、操作部５を操作者の対面に移動させることができるため、ガスコンロ１の周りのどの位置からでも容易に点火或いは火力調整を行うことが可能となる。
【００３２】
通常、都市ガス供給源は壁面等に固定されているため、ガス取入口６が当該都市ガス供給源の方向に位置するようにガスコンロ１を卓上に載置することが多いが、このようにガスコンロ１を載置した場合でも、操作部５が回転自在に構成されることから、操作部５を操作して火力調整を行う人間が固定されることがない。又、操作部５の対面に位置しない人間が操作する場合にも、操作部５を自らの対面に回転移動させることができるため、自らが操作部５の対面に移動する必要がなく、非常に便利である。
【００３３】
＜他の実施形態＞
以下に他の実施形態について説明を行う。
【００３４】
〈１〉  外管１０に備えられる第２スリット２２は、ガスバーナ４を取り囲むように３６０°に渡って設けられるものであっても構わないし、外管１０の一部分にのみ設けられるものとしても構わない（例えば２７０°分）。第２スリット２２の存在する領域間についてのみ第１分岐管１２を外管１０の位置に対して相対的に移動させることができる構成であるため、第２スリット２２の存在領域が外管１０の可動範囲となる。
【００３５】
このように構成するとき、例えば図４に示されるように、非回転領域ａ２の対面に位置する座席Ｃとガスコンロ１との距離ｄｃを、回転領域ａ１の対面に位置する座席Ａとガスコンロ１の距離ｄａ、或いは座席Ｂとガスコンロ１の距離ｄｂと比して長くとることができ、このとき、座席Ｃに乳幼児を位置させることで、操作部や炎から乳幼児を遠ざけることができ、安全である。
【００３６】
〈２〉  ガスコンロ１の形状は、上述のように円形に限られず、例えば矩形形状であっても構わない。又、図１に示されるように、本明細書では特に一口コンロを想定して説明してきたが、一口コンロに限られるものではなく、例えば二口コンロでも同様の構成で実現可能である。
【００３７】
〈３〉  本発明に係るガスコンロは、燃料として都市ガスを利用するガスコンロを想定しているが、カセットコンロにおいても同様に実現が可能である。この場合、固定される第２構造体３に、カセットコンロ（燃料源）を備え、カセットコンロから燃料ガスを取り出すガス取入口６と内管１１とを第１分岐管１２で接続する構成であれば良い。カセットコンロの場合は、ガスコンロ内から燃料を取得する構成であるため、都市ガス利用のガスコンロのようにガス取入口６の方向が定まるということがなく、又、コンロごと持ち上げて位置を変更することによって操作部を操作者の対面に移動させることは可能であるが、火がついた状態でガスコンロを持ち上げるのは危険である。本発明をカセットコンロに適用し、都市ガスによるガスコンロと同様に第１構造体２を回転させることで操作部５を操作者の対面に移動させることによって、誰でも自らの対面に操作部を移動させることができる。
【００３８】
〈４〉  上述では、ガス流路を二重管構造にするとともに、内管と外管の内、一方が他方に対して相対移動可能に構成することで、操作部を含む第１構造体がガス取入口を含む第２構造体に対して相対移動可能に構成されるものとしたが、ガス流路は固定された状態で、操作部のみがガス取入口に対して単独で相対移動可能に構成されるものとしても構わない。この場合、操作部が備えられる筐体には、操作部の移動可能領域内にスリットが設けられ、操作部が当該スリット上を移動可能に構成されるものとして良い。又、操作部からの操作内容が火力調整部に対して電気的信号として伝達されるとともに、火力調整部が電磁的に弁の開度調整を行うことでバーナから出火される火力調整が行われる構成とすることができる。
【図面の簡単な説明】
【００３９】
【図１】本発明に係るガスコンロの概略斜視図
【図２】本発明に係るガスコンロの内部を上面から見た概略上面図
【図３】本発明に係るガスコンロの内部を側面から見た概略側面図
【図４】本発明に係るガスコンロの設置例
【図５】従来構成のガスコンロの概略斜視図
【符号の説明】
【００４０】
１：    本発明に係るガスコンロ
２：    第１構造体
３：    第２構造体
４：    ガスバーナ
５：    操作部
６：    ガス取入口
７：    バッテリー
８：    高電圧発生装置
１０：    外管
１１：    内管
１２：    第１分岐管
１３：    第２分岐管
１４：    火力調整部
２１：    第１スリット
２２：    第２スリット
３０：    従来構成に係るガスコンロ
【図１】
2007271230.tif 000003
【図２】
2007271230.tif 000004
【図３】
2007271230.tif 000005
【図４】
2007271230.tif 000006
【図５】
2007271230.tif 000007